【事件の表示】
　平成１１年特許願第１６８９８５号「非接触ＩＤシステム及びそのデータ登録・抹消方法」拒絶査定不服審判事件〔平成１２年１２月２６日出願公開、特開２０００−３５７２１２〕について、次のとおり審決する。
【結　論】
　本件審判の請求は、成り立たない。
【理　由】
１．手続の経緯と本願発明 
　本願は、平成１１年６月１５日の出願であって、平成１８年３月１３日付けで拒絶理由通知がなされ、同年５月２２日付けで手続補正がなされたが、同年８月１８日付けで拒絶査定がなされ、これに対し、同年９月２１日に審判請求がなされたものである。
　そして、その請求項５に係る発明（以下「本願発明」という。）は、平成１８年５月２２日付け手続補正書により補正された特許請求の範囲の請求項５に記載された次のとおりのものと認める。
　
　「固有のデータが登録された１乃至複数のデータキャリアと、データキャリアとの間で非接触のデータ通信を行う通信手段、データが登録される登録手段、通常動作モードでは通信手段によりデータキャリアから受け取ったデータと登録手段に登録されているデータとの一致・不一致を判定するとともに登録モードでは通信手段によりデータキャリアから受け取ったデータを登録手段に登録し且つ抹消モードでは登録手段に登録されているデータを抹消する制御手段を具備する主装置と、主装置の制御手段を登録モード並びに抹消モードに設定するためのデータを非接触のデータ通信により主装置に送信する登録・抹消用データキャリアとを備え、主装置の制御手段は、通信手段から送信する固有のデータをデータキャリアに登録するデータ登録モードを有するとともに、登録・抹消用データキャリアから送信されるデータを通信手段が所定時間内に受信した回数に応じて登録モードと抹消モードとを切り換え、さらに登録モードにおいては１枚のデータキャリアから受け取ったデータの登録が完了した後、所定時間内に別のデータキャリアからデータを受け取ったときは登録モードを継続し且つ前記所定時間内に別のデータキャリアからデータを受け取らなければ登録モードを終了することを特徴とする非接触ＩＤシステム。」
　
２．引用文献
　
Ａ．原査定の拒絶の理由に引用された、特開平１０−２４０９９２号公報（以下、「引用文献」という。）には以下の事項が記載されている。
　
（ア）「【０００１】
【発明の属する技術分野】この発明は、ＩＤカードまたはテンキーを用いてＩＤ判別するＩＤ判別装置に関するもので、特に、ＩＤ番号の記憶部への登録及び抹消技術に関する。
【０００２】
【従来の技術】従来、この種のＩＤ判別装置として、例えば特開平２−１６２４９６号公報、特開昭６０−１９６８９２号公報及び特開昭６１−１８３５８２号公報に示す如く、ＩＤカードに書き込まれているＩＤ番号をリーダヘッドによりリードし該リードしたＩＤ番号と記憶部に登録されているＩＤ番号と照合することによりＩＤ判別するようにしたものがある。」
　
（イ）「【００１５】
【発明の実施の形態】
実施の形態１．以下、この発明の具体的な実施の形態１に係るＩＤ判別装置を図面を参照して説明する。図１ないし図３は本実施の形態１に係るＩＤ判別装置が通行制御扉の制御に適用した際の建物のレイアウト図とＩＤ判別装置としてのカードリーダの外観図及び内部構成図である。図１に示す如く、部屋のドア１のノブ１ａ内部には電気錠１ｂが設けられており、カードリーダ２により、ＩＤカードのＩＤ番号を読み取り登録されているＩＤ番号と照合することで、照合結果ＯＫ（一致）時には上記電気錠１ｂを解錠制御して部屋内部に入室できるようになっている。
【００１６】上記カードリーダ２の外観表面には、図２に示すように、ＩＤカードのＩＤ番号を読み取るリーダヘッド２１と、読み取ったＩＤ番号と登録されたＩＤ番号との照合結果ＯＫ（一致）時に点灯するＯＫ灯２２と、照合結果ＮＧ（不一致）時に点灯するＮＧ灯２３と、テンキー２４が設けられている。
【００１７】また、上記カードリーダ２の内部構成としては、図３に示すように、上述したリーダヘッド２１、ＯＫ灯２２及びＮＧ灯２３、テンキー２４にバスを介して接続された制御手段としてのＣＰＵ２ａ、処理プログラム及び固定データ等を記憶してなるＲＯＭ２ｂ、処理データ及び入力データ等を一時記憶するＲＡＭ２ｃ及び電気錠１ｂに接続されたインターフェース２ｄを備えている。」
　
（ウ）「【００２４】実施の形態２．次に、実施の形態１と同様にＲＯＭ２ｂに格納されてＣＰＵ２ａの制御に基づいて実行される実施の形態２に係るフローチャートを示す図５に基づいて説明する。図５はＩＤ番号の登録及び抹消モードの切替用にマスタカードを用い、その他、ＩＤカードとして２枚作り、そのうち１枚は利用者に渡し、他の１枚は登録用と抹消用として保管するようにして用い、ＲＡＭ２ｃに対するＩＤ番号の登録と抹消を行う制御フローチャートである。
【００２５】まず、ＩＤカードがリードされた場合に、そのカードがマスタカードか否かを判定する（ステップＳ２１，Ｓ２２）。マスタカードでない場合は、ＩＤカードに書き込まれているＩＤ番号をＲＡＭ２ｃに登録されたＩＤ番号と照合して照合結果ＮＧ時にはＮＧ灯を一時点灯制御することでステップＳ２１にリターンさせる（ステップＳ２３，Ｓ２４）。マスタカードではないが、ＩＤカードに書き込まれているＩＤ番号がＲＡＭ２ｃに登録されたＩＤ番号と一致している時にはＯＫ灯を一時点灯制御し、電気錠を一時解錠制御することでドアを開けて部屋内に通行することができ、ドアは通行後自動的に閉じ、電気錠は施錠され、ステップＳ２１の初期状態に戻る（ステップＳ２５〜Ｓ２７）。
【００２６】上記ステップＳ２２での判定結果、リードされたカードがマスタカードであれば、ＯＫ灯が所定時間点滅制御することで登録モードに設定される（ステップＳ２８）。ＯＫ灯が点滅制御されている登録モードのときに、ＩＤカードがリードされなければ、ステップＳ２１の状態に戻され（ステップＳ２９，Ｓ３０）、ＩＤカードがリードされれば（ステップＳ２９）、該ＩＤカードに書き込まれているＩＤ番号のＲＡＭへの登録を行うことができる。
【００２７】すなわち、ＯＫ灯が点滅制御されて登録モードに設定されているときにＩＤカードがリードされ（ステップＳ２８，Ｓ２９）、そのＩＤカードがマスタカードでなければ、リードされたＩＤ番号がＲＡＭ２ｃへ記憶登録され（ステップＳ３１，Ｓ３２）、ＩＤ番号の登録後は、ステップＳ２９、Ｓ３０を経てステップＳ２１の初期状態に戻る。
【００２８】他方、上記ステップＳ２９においてリードされたＩＤカードがマスタカードであれば、ＯＫ灯が消灯制御されると共にＮＧ灯が所定時間点滅制御することで抹消モードに切替制御される（ステップＳ３１，Ｓ３３）。この抹消モード時にＩＤカードがリードされなく、所定時間経過してＮＧ灯が点滅されなくなれば、ステップＳ２１の初期状態に戻る（ステップＳ３４，Ｓ３５）。
【００２９】この抹消モード時にＩＤカードがリードされ、リードされたＩＤカードがマスタカードでなければ、リードされたＩＤカードのＩＤ番号がＲＡＭ２ｃから抹消制御される（ステップＳ３４，Ｓ３６，Ｓ３７）。そして、ＩＤ番号の抹消後は、ステップＳ３４、Ｓ３５を経てステップＳ２１の初期状態に戻る。その際、リードされたＩＤカードがマスタカードであれば、再びステップＳ２８の状態に戻り、登録モードに切替制御される（ステップＳ３４，Ｓ３６，Ｓ２８）。
【００３０】したがって、上記実施の形態２によれば、マスタカードをリードする毎にＲＡＭへのＩＤ番号の登録と抹消のモード切替を行うことができ、登録モードのときＩＤカードをリードすることにより該ＩＤカードのＩＤ番号をＲＡＭへ登録でき、抹消モードのときＩＤカードをリードすることにより該ＩＤカードのＩＤ番号をＲＡＭから抹消できることになり、既存の設備でＩＤ番号の登録と抹消を容易に行うことができる。」
　
（エ）「【００４１】なお、この発明は、上述した実施の形態１ないし３の他にも、後述する実施の形態に従って実施することができる。
実施の形態４．ＩＤカードとしては、磁気、光、ＩＣ、非接触等どのようなカードでもよく、また、指紋、声紋、サインなどどのようなバイオメトリクスＩＤを使っても同様にできる。さらに、それらを併用してもよい。」
　
（オ）「図５」の制御フローチャートには、マスターカードを１回リードさせる（Ｓ２２−＞Ｓ２８）ことで登録モードに切り替え制御され、所定時間内にマスターカードを２回リードさせる（Ｓ２２−＞Ｓ２９−＞Ｓ３１−＞Ｓ３３）ことで抹消モードに切り替え制御されること、及び登録モードにおいては、ＩＤカードからリードされたＩＤ番号をＲＡＭに記憶登録し、所定時間を過ぎると登録モードを終了することが記載されている。
　
　（ア）の段落【０００１】における記載「この発明は、ＩＤカード・・・（中略）・・・を用いてＩＤ判別するＩＤ判別装置に関する」、（イ）の段落【００１６】における記載「ＩＤカードのＩＤ番号を読み取るリーダヘッド２１」、（ウ）の段落【００２５】における記載「ＩＤカードがリードされた場合に、そのカードがマスタカードか否かを判定する（ステップＳ２１，Ｓ２２）。マスタカードでない場合は、ＩＤカードに書き込まれているＩＤ番号をＲＡＭ２ｃに登録されたＩＤ番号と照合して照合結果ＮＧ時にはＮＧ灯を一時点灯制御することでステップＳ２１にリターンさせる（ステップＳ２３，Ｓ２４）。マスタカードではないが、ＩＤカードに書き込まれているＩＤ番号がＲＡＭ２ｃに登録されたＩＤ番号と一致している時にはＯＫ灯を一時点灯制御し、電気錠を一時解錠制御することでドアを開けて部屋内に通行することができ、ドアは通行後自動的に閉じ、電気錠は施錠され、、ステップＳ２１の初期状態に戻る」、（ウ）の段落【００３０】における記載「登録モードのときＩＤカードをリードすることにより該ＩＤカードのＩＤ番号をＲＡＭへ登録でき、抹消モードのときＩＤカードをリードすることにより該ＩＤカードのＩＤ番号をＲＡＭから抹消できる」、及び前記動作（すなわち、判定、登録及び抹消）をＩＤ判別装置の有するＣＰＵが制御することは、当業者にとって自明であることからすると、
　引用文献には、ＩＤ番号が書き込まれた（すなわち、登録された）１乃至複数のＩＤカードと、ＩＤカードとの間でデータ入力を行うリーダヘッド、ＩＤ番号が登録されるＲＡＭ、初期状態ではリーダヘッドによりＩＤカードから受け取ったＩＤ番号とＲＡＭに登録されているＩＤ番号との一致・不一致を判定するとともに登録モードではリーダヘッドによりＩＤカードから受け取ったＩＤ番号をＲＡＭに登録し且つ抹消モードではＲＡＭに登録されているＩＤ番号を抹消するＣＰＵを具備するＩＤ判別装置を備えたＩＤシステムに関する発明が記載されている。
　
　そして、（ウ）の段落【００２４】における記載「ＩＤ番号の登録及び抹消モードの切替用にマスタカードを用い」、（ウ）の段落【００２５】における記載「ＩＤカードがリードされた場合に、そのカードがマスタカードか否かを判定する（ステップＳ２１，Ｓ２２）」からすると、
　引用文献記載のマスタカードは、ＩＤ判別装置のＣＰＵを登録モード並びに抹消モードに設定するためのデータを記憶しており、リーダヘッドからの入力により前記データをＩＤ判別装置に入力すると解される。
　そして、（オ）における「図５」の制御フローチャートに関する説明からすると、
　引用文献記載のＩＤ判別装置は前記マスタカードから入力されるデータをリーダヘッドが１回入力すると、前記ＩＤ判別装置のＣＰＵを登録モードに切替制御し、所定時間内に２回入力すると抹消モードに切替制御すると解される。
　
　そして、（オ）における「図５」の制御フローチャートに関する説明からすると、
　登録モードにおいては、１枚のＩＤカードから受け取ったＩＤ番号を登録し、前記登録モードを所定時間継続し、且つ前記所定時間を過ぎると登録モードを終了すると解される。
　
  よって、（ア）〜（オ）における記載及び関連する図面からすると、引用文献には、次の発明（以下、「引用発明」という。）が記載されているものと認められる。 
　
　ＩＤ番号が登録された１乃至複数のＩＤカードと、ＩＤカードとの間でデータ入力を行うリーダヘッド、ＩＤ番号が登録されるＲＡＭ、初期状態ではリーダヘッドによりＩＤカードから受け取ったＩＤ番号とＲＡＭに登録されているＩＤ番号との一致・不一致を判定するとともに登録モードではリーダヘッドによりＩＤカードから受け取ったＩＤ番号をＲＡＭに登録し且つ抹消モードではＲＡＭに登録されているＩＤ番号を抹消するＣＰＵを具備するＩＤ判別装置と、ＩＤ判別装置のＣＰＵを登録モード並びに抹消モードに設定するためのデータをリーダヘッドからの入力によりＩＤ判別装置に入力するマスタカードとを備え、マスタカードから入力されるデータをリーダヘッドが１回入力すると、前記ＩＤ判別装置のＣＰＵを登録モードに切替制御し、所定時間内に２回入力すると抹消モードに切替制御され、さらに、登録モードにおいては、１枚のＩＤカードから受け取ったＩＤ番号を登録し、前記登録モードを所定時間継続し、且つ前記所定時間を過ぎると登録モードを終了することを特徴とするＩＤシステム。
　
３．対比
　ここで、本願発明と引用発明とを比較する。 
　引用発明の「ＩＤ番号」、「ＲＡＭ」、「ＣＰＵ」及び「ＩＤ判別装置」は、本願発明の「固有のデータ」、「登録手段」、「制御手段」及び「主装置」に相当する。
　また、引用発明の「初期状態」は、本願発明の「通常動作モード」に相当する。
　
　そして、引用発明の「ＩＤカード」は、本願発明の「データキャリア」と、カードである点で共通する。
　同様に、引用発明の「マスタカード」は、本願発明の「登録・抹消用データキャリア」と、登録・抹消用カードである点で共通する。
　
　また、引用発明の「データ入力を行うリーダヘッド」は、本願発明の「非接触のデータ通信を行う通信手段」と、データ入力を行うデータ入力手段である点で共通する。
　また、引用発明の「ＩＤシステム」は、本願発明の「非接触ＩＤシステム」と、ＩＤシステムである点で共通する。
　そして、引用発明の「マスタカードから入力されるデータをリーダヘッドが１回入力すると、前記ＩＤ判別装置のＣＰＵを登録モードに切替制御し、所定時間内に２回入力すると抹消モードに切替制御され」ることは、マスタカードから入力されるデータをリーダヘッドが所定時間内に受信した回数に応じて登録モードと抹消モードとを切り換えることを意味することから、引用発明の「マスタカードから入力されるデータをリーダヘッドが１回入力すると、前記ＩＤ判別装置のＣＰＵを登録モードに切替制御し、所定時間内に２回入力すると抹消モードに切替制御され」ることは、本願発明の「登録・抹消用データキャリアから送信されるデータを通信手段が所定時間内に受信した回数に応じて登録モードと抹消モードとを切り換え」ることと、登録・抹消用カードから入力されるデータをデータ入力手段が所定時間内に入力した回数に応じて登録モードと抹消モードとを切り換える点で一致する。
　
　また、引用発明の「登録モードにおいては、１枚のＩＤカードから受け取ったＩＤ番号を登録し、前記登録モードを所定時間継続し、且つ前記所定時間を過ぎると登録モードを終了する」ことは、本願発明の「登録モードにおいては１枚のデータキャリアから受け取ったデータの登録が完了した後、所定時間内に別のデータキャリアからデータを受け取ったときは登録モードを継続し且つ前記所定時間内に別のデータキャリアからデータを受け取らなければ登録モードを終了する」ことと、登録モードにおいては、１枚のカードから受け取ったデータを登録し、所定のタイミングで登録モードを終了する点で共通する。
　
　以上から、本願発明と引用発明とは、以下の点で一致し、また、相違している。
　
（一致点）
　固有のデータが登録された１乃至複数のカードと、カードとの間でデータ入力を行うデータ入力手段、データが登録される登録手段、通常動作モードではデータ入力手段によりカードから受け取ったデータと登録手段に登録されているデータとの一致・不一致を判定するとともに登録モードではデータ入力手段によりカードから受け取ったデータを登録手段に登録し且つ抹消モードでは登録手段に登録されているデータを抹消する制御手段を具備する主装置と、主装置の制御手段を登録モード並びに抹消モードに設定するためのデータをデータ入力手段により主装置に入力する登録・抹消用カードとを備え、登録・抹消用カードから入力されるデータをデータ入力手段が所定時間内に入力した回数に応じて登録モードと抹消モードとを切り換え、さらに登録モードにおいては、１枚のカードから受け取ったデータを登録し、所定のタイミングで登録モードを終了することを特徴とするＩＤシステム。
　
（相違点１）
　本願発明は、「データキャリア」及び「登録・抹消用データキャリア」がそれぞれ非接触のデータキャリアであって、「主装置」の「通信手段」と「非接触のデータ通信を行」い、「主装置」は前記「データキャリア」から「通信手段」によりデータを受け取るとともに、前記「登録・抹消用データキャリア」から送信されるデータを「通信手段」が受信することを特徴とする非接触ＩＤシステムであるのに対して、引用発明は、「ＩＤカード」及び「マスタカード」がそれぞれ非接触のデータキャリアでなく、「ＩＤ判別装置」の「リーダヘッド」と「非接触のデータ通信を行」うものでなく、「ＩＤ判別装置」は前記「ＩＤカード」から
通信手段により
通信手段が
　
（相違点２）
　本願発明は、「登録・抹消用データキャリアから送信されるデータを通信手段が所定時間内に受信した回数に応じて登録モードと抹消モードとを切り換え」るのに対して、引用発明は、マスタカードから入力されるデータをリーダヘッドが１回入力すると、前記ＩＤ判別装置のＣＰＵを登録モードに切替制御し、所定時間内に２回入力すると抹消モードに切替制御されるものである点。
　
（相違点３）
　本願発明の「主装置の制御手段」は、「通信手段から送信する固有のデータをデータキャリアに登録するデータ登録モードを有する」のに対して、引用発明の「ＩＤ判別装置のＣＰＵ」は、通信手段から送信するＩＤ番号をＩＤカードに登録するデータ登録モードを有するかどうか、明らかでない点。
　
（相違点４）
　本願発明は、「登録モードにおいては１枚のデータキャリアから受け取ったデータの登録が完了した後、所定時間内に別のデータキャリアからデータを受け取ったときは登録モードを継続し且つ前記所定時間内に別のデータキャリアからデータを受け取らなければ登録モードを終了する」のに対して、引用発明が、登録モードにおいては１枚のＩＤカードから受け取ったデータの登録が完了した後、所定時間内に別のＩＤカードからデータを受け取ったときは登録モードを継続し且つ前記所定時間内に別のＩＤカードからデータを受け取らなければ登録モードを終了する、というものではない点。
　
４．判断
　相違点１〜相違点３について検討する。
　引用文献の（エ）における記載「この発明は、上述した実施の形態１ないし３の他にも、後述する実施の形態に従って実施することができる。・・・（中略）・・・ＩＤカードとしては、磁気、光、ＩＣ、非接触等どのようなカードでもよく、・・・（中略）・・・同様にできる。」と記載されているように　引用発明のＩＤカード及びマスタカードとして、非接触式のＩＣカードを使用することが記載されている。
　その際、ＩＤ判別装置のリーダヘッドを前記非接触式のＩＣカードとデータ通信を行う通信手段とすること、そしてそうすることで、マスタカードから送信されるデータを通信手段が１回受信すると、前記ＩＤ判別装置のＣＰＵを登録モードに切替制御し、所定時間内に２回受信すると抹消モードに切替制御されるものとなることは、当業者にとって自明である。
　
　したがって、引用文献１には、「ＩＤカード」及び「マスタカード」をそれぞれ非接触のＩＣカードとし、また「ＩＤ判別装置」の「リーダヘッド」を「通信手段」として、前記「ＩＤカード」及び「マスタカード」はそれぞれ「ＩＤ判別装置」の前記「通信手段」と「非接触のデータ通信を行」い、「ＩＤ判別装置」は前記「ＩＤカード」及び「マスタカード」から通信手段によりデータを受け取る／データを受信する非接触ＩＤシステムであって、
　前記ＩＤ判別装置は、マスタカードから送信されるデータを通信手段が１回受信すると、前記ＩＤ判別装置のＣＰＵを登録モードに切替制御し、所定時間内に２回受信すると抹消モードに切替制御する（すなわち、マスタカードから送信されるデータを通信手段が所定時間内に受信した回数に応じて登録モードと抹消モードとを切り換える）ことを特徴とする非接触ＩＤシステムとして、引用発明を実施できることが示唆されていると解される。
　
　そして、本願の出願の日前の平成１１年１月２９日に頒布された刊行物である特開平１１−２５２４６号公報に
「【００２８】一方、非接触式ＩＣカード２０ではコンピュータ装置１０から送信されたきた上記ログイン名、パスワードのデータをセンサキット２６で受信し（ステップ３４）、送受信制御手段２５を介してログイン名、パスワード記憶手段２３に記憶する（ステップ３５）。」、
「【００３１】次に、使用者が非接触式ＩＣカード２０を使用してログインを実行する場合の動作について説明する。
【００３２】・・・（中略）・・・
【００３３】・・・（中略）・・・使用者はこの非接触式ＩＣカード２０に付属のセンサキット２６をＥＳＷ１０のセンサ感知手段１４へ近付ける（ステッＳ３６）ことにより、非接触式ＩＣカード２０の電源回路２４から電磁誘導によって非接触式ＩＣカード２０の各回路に電源が供給される（ステップＳ２７）。
【００３４】一方、ログイン名、パスワードのデータは、上記方法で電源供給されたら、ＣＰＵ２の制御の下で、ログイン名、パスワード記憶手段２３から送受信制御手段２５へ送信され（ステップＳ３８）、センサキット２６よりＥＷＳ１０のセンサ感知手段１４へ発信される（ステップＳ３９）。」と記載されているように、
　非接触式ＩＣカードからログイン名、パスワードのデータ（すなわち、固有のデータ）を通信手段により受信する端末が、事前に前記固有のデータを通信手段から送信して非接触式ＩＣカードに記憶、すなわち登録すること（すなわち、データ登録モードを有すること）は当業者にとって周知の技術である。
　
　してみると、引用発明において、「ＩＤカード」及び「マスタカード」をそれぞれ非接触のＩＣカード（すなわち、非接触のデータキャリア）とし、「ＩＤ判別装置」の「リーダヘッド」を「通信手段」とすることで、前記「ＩＤカード」及び「マスタカード」はそれぞれ「ＩＤ判別装置」の前記「通信手段」と「非接触のデータ通信を行」い、「ＩＤ判別装置」は前記「ＩＤカード」から通信手段によりデータを受け取るとともに、前記「マスタカード」から送信されるデータを通信手段が受信し、前記ＩＤ判別装置は、マスタカードから送信されるデータを通信手段が１回受信すると、前記ＩＤ判別装置のＣＰＵを登録モードに切替制御し、所定時間内に２回受信すると抹消モードに切替制御する（すなわち、マスタカードから送信されるデータを通信手段が所定時間内に受信した回数に応じて登録モードと抹消モードとを切り換える）非接触ＩＤシステムであって、「ＩＤ判別装置のＣＰＵ」が、前記「通信手段」から送信するＩＤ番号を前記「ＩＤカード」に登録するデータ登録モードを有するようにすることは、当業者であれば、適宜なし得たことである。
　よって、相違点１〜相違点３は格別のものではない。
　
　相違点４について検討する。
　本願の出願の日前の平成５年６月１１日に頒布された刊行物である特開平５−１４５９７８号公報（「図３」（特にＳ４〜Ｓ８〜Ｓ９〜Ｓ１１〜Ｓ４の次〜Ｓ５）及び段落【００２２】〜【００２５】等参照）に、データを登録するメモリのチャンネルが、スタンバイ状態になって所定時間、データ登録可能な状態になった際に、所定時間内にデータを登録すると該データの登録終了後、該メモリの次のチャンネルがスタンバイ状態になって前記所定時間、データ登録可能な状態になり、前記所定時間内に何の操作もなされなければタイムアウトして通常モードに移行することが記載されているように、
　また、本願の出願の日前の平成９年３月７日に頒布された刊行物である特開平９−６５４５７号公報に
「【００１９】つまり、登録モード中に登録用のワイヤレス信号を受信すれば、ＩＤ番号をＩＤ番号登録部２６に登録し、」、及び
「【００２３】・・・（中略）・・・ＣＰＵ１１，２１の内部に設けたタイマーによって、電源投入後などの所定時間（例えば１分）を登録モードにするようにしてもよく、登録モード中に登録用のワイヤレス信号を受信する度に、この所定時間を例えば１分間延長するようにしてもよい。」と記載されているように、
　データの登録モードにおいて、所定のデータの登録が完了した後、所定時間内に別のデータ登録用のデータを受け取ったときは登録モードを継続し且つ前記所定時間内に別のデータ登録用のデータを受け取らなければタイムアウトして登録モードを終了するようにすることは、当業者にとって周知の技術である。
　
　してみると、引用発明の登録モードに、前記周知技術を適用することで、本願発明のように、登録モードにおいて１枚のＩＤカードから受け取ったデータの登録が完了した後、所定時間内に別のＩＤカードからデータを受け取ったときは登録モードを継続し且つ前記所定時間内に別のＩＤカードからデータを受け取らなければ登録モードを終了する構成とすることは、当業者であれば適宜なし得たことである。
　よって、相違点４は格別のものではない。
　
　上記で検討したごとく、相違点１〜相違点４は格別のものではなく、そして、本願発明の構成によってもたらされる効果も、当業者であれば当然に予測可能なものに過ぎず格別なものとは認められない。
　
５結び
　以上のとおり、本願発明は、引用文献及び周知技術に基いて、当業者が容易に発明をすることができたものであるから、特許法第２９条第２項の規定により特許を受けることができない。
　よって、上記結論のとおり、審決する。